(57)【特許請求の範囲】
【請求項１】
１台の注文管理装置に対して複数台の注文入力装置が識別可能かつ通信可能に接続されるとともに、前記注文管理装置からの指示により調理指示を出力する調理指示装置を備える注文管理システムであって、
前記注文管理装置は、
注文対象となるメニューごとにメニュー番号が関連付けられて登録されている第１のデータと、
前記第１のデータにおける前記メニュー番号が、注文制限レベルごとに注文可能なメニュー番号と注文できないメニュー番号とに区別されて登録されている第２のデータと、を備え、
前記複数の注文入力装置は、それぞれ
個別の識別番号と、
注文対象となるメニューが表示される表示手段と、
前記表示手段に表示されたメニューが選択され入力される入力手段と、
前記入力手段により入力された注文データを前記注文管理装置に送信する通信手段と、を備え、
前記注文管理装置は、さらに、
前記複数の注文入力装置ごとの起動または注文入力開始の際に、当該注文入力装置ごとに前記識別番号に関連付けて注文制限レベルを第３のデータとして設定登録する注文制限レベル設定手段を備え、
前記注文制限レベル設定手段により注文制限レベルが登録されている注文入力装置から注文入力され、前記通信手段により前記注文管理装置に注文データ及び個別の識別番号が送信された場合に、
前記注文管理装置は、前記第３のデータを参照して送信元の注文入力装置の注文制限レベルがいずれであるかを判断し、判断された注文制限レベルに基づき前記第２のデータを参照して、前記注文データが注文可能なメニューに属するか注文できないメニューに属するかを判断し、注文可能なメニューに属すると判断された場合には、前記第１のデータを参照して前記メニュー番号に対応するメニューの調理指示データを作成し、前記調理指示装置に対して前記調理指示データを送信し、
前記調理指示装置は、前記注文管理装置から送信された前記調理指示データを出力するとともに、
さらに、前記注文管理装置の前記第１のデータに、１つの注文で予め定められた複数のメニューの中から複数または１つのメニューを複数回注文可能な自由選択注文セットメニューが予め登録され、
前記注文管理装置が、自由選択注文セットメニュー番号と当該セットメニュー番号に複数のセット対象メニュー番号が関連付けられて登録されているセットメニューデータを備え、
前記注文制限レベルが登録されている注文入力装置の前記入力手段が、自由選択注文セットを注文入力可能な場合に当該注文入力装置からメニュー注文を受けると、
前記注文管理装置は、前記セットメニューデータを参照して当該注文メニューが自由選択注文セット対象メニューに含まれているかどうか判断し、含まれていない場合には送信元の注文入力装置にアラームが通知されることを特徴とする注文管理システム。
【請求項２】
１台の注文管理装置に対して複数台の注文入力装置が識別可能かつ通信可能に接続されるとともに、前記注文管理装置からの指示により調理指示を出力する調理指示装置を備える注文管理システムであって、
前記注文管理装置は、
注文対象となるメニューごとにメニュー番号が関連付けられて登録されている第１のデータと、
前記第１のデータにおける前記メニュー番号が、注文制限レベルごとに注文可能なメニュー番号と注文できないメニュー番号とに区別されて登録されている第２のデータと、を備え、
前記複数の注文入力装置は、それぞれ
個別の識別番号と、
注文対象となるメニューが表示される表示手段と、
前記表示手段に表示されたメニューが選択され入力される入力手段と、
前記入力手段により入力された注文データを前記注文管理装置に送信する通信手段と、を備え、
前記注文管理装置は、さらに、
前記複数の注文入力装置ごとの起動または注文入力開始の際に、当該注文入力装置ごとに前記識別番号に関連付けて注文制限レベルを第３のデータとして設定登録する注文制限レベル設定手段を備え、
前記注文制限レベル設定手段により注文制限レベルが登録されている注文入力装置から注文入力され、前記通信手段により前記注文管理装置に注文データ及び個別の識別番号が送信された場合に、
前記注文管理装置は、前記第３のデータを参照して送信元の注文入力装置の注文制限レベルがいずれであるかを判断し、判断された注文制限レベルに基づき前記第２のデータを参照して、前記注文データが注文可能なメニューに属するか注文できないメニューに属するかを判断し、注文可能なメニューに属すると判断された場合には、前記第１のデータを参照して前記メニュー番号に対応するメニューの調理指示データを作成し、前記調理指示装置に対して前記調理指示データを送信し、
前記調理指示装置は、前記注文管理装置から送信された前記調理指示データを出力するとともに、
さらに、前記注文管理装置の前記第１のデータに、１つの注文で予め定められた複数のメニューをコース注文可能なセットメニューが予め登録され、
前記注文管理装置が、セットメニュー番号と当該セットメニュー番号に複数のセット対象メニュー番号が関連付けられて登録されているセットメニューデータと、
前記セットメニューデータのセットメニュー番号に含まれる前記複数のメニューを、未提供のメニューと提供済みのメニューとに区別して登録可能な提供管理データと、を備え、
前記注文制限レベルが登録されている注文入力装置の前記入力手段が、コース注文入力可能な場合に当該注文入力装置からメニュー注文を受け、さらに追加のメニュー注文を受けた場合に、
前記注文管理装置は、前記セットメニューデータを参照して当該注文メニューがセット対象メニューに含まれているかどうか判断し、含まれている場合には前記提供管理データを参照して提供済みのメニューであるか未提供のメニューであるかを判断し、未提供のメニューである場合にコース料理で提供されることが送信元の注文入力装置にアラームで通知されることを特徴とする注文管理システム。
【請求項３】
注文管理装置に注文入力装置が通信可能に接続される注文管理システムであって、
前記注文管理装置は、
注文対象となるメニューごとにメニュー番号が関連付けられて登録されている第１のデータと、
前記第１のデータにおける前記メニュー番号が、注文制限レベルごとに注文可能なメニュー番号と注文できないメニュー番号とに区別されて登録されている第２のデータと、を備え、
前記注文入力装置は、
注文対象となるメニューが表示される表示手段と、
前記表示手段に表示されたメニューが選択され入力される入力手段と、
前記入力手段により入力された注文データを前記注文管理装置に送信する通信手段と、を備え、
前記注文管理装置は、さらに、
前記注文入力装置の起動または注文入力開始の際に、当該注文入力装置の注文制限レベルを第３のデータとして設定登録する注文制限レベル設定手段を備え、
前記注文制限レベル設定手段により注文制限レベルが登録されている注文入力装置から注文入力され、前記通信手段により前記注文管理装置に注文データが送信された場合に、
前記注文管理装置は、前記第３のデータを参照して送信元の注文入力装置の注文制限レベルがいずれであるかを判断し、判断された注文制限レベルに基づき前記第２のデータを参照して、前記注文データが注文可能なメニューに属するか注文できないメニューに属するかを判断し、注文可能なメニューに属すると判断された場合には、前記第１のデータを参照して前記メニュー番号に対応するメニューを調理指示することを特徴とする注文管理システム。
【請求項４】
複数の前記注文入力装置が前記注文管理装置にそれぞれ識別可能かつ通信可能に接続され、
前記複数の注文入力装置は、それぞれ個別の識別番号を備え、
前記注文管理装置の前記注文制限レベル設定手段は、
前記複数の注文入力装置ごとの起動または注文入力開始の際に、当該注文入力装置ごとに前記識別番号に関連付けた注文制限レベルを前記第３のデータとして設定登録し、
前記注文制限レベル設定手段により注文制限レベルが登録されている注文入力装置から注文入力され、前記通信手段により前記注文管理装置に注文データが送信される場合に、前記個別の識別番号も送信されることを特徴とする請求項３に記載の注文管理システム。
【請求項５】
前記注文管理装置の前記第１のデータに、１つの注文で予め定められた複数のメニューをコース注文可能なセットメニューが予め登録され、
前記注文管理装置は、
セットメニュー番号と当該セットメニュー番号に複数のセット対象メニュー番号が関連付けられて登録されているセットメニューデータと、
注文受付可能時間を設定可能な注文受付可能時間設定手段と、をさらに備え、
前記注文制限レベルが登録されている注文入力装置の前記入力手段がコース注文入力可能な場合に、当該注文入力装置からセットメニューの注文を受けると、前記注文受付可能時間設定手段により注文終了時刻を計算し、該注文終了時刻が近づくと送信元の注文入力装置に注文終了時刻を送信し注文終了アラームを通知することを特徴とする請求項３または４に記載の注文管理システム。
【請求項６】
前記注文管理装置は、
前記注文受付可能時間設定手段により計算された前記注文終了時刻を超えると、送信元の注文入力装置の注文入力を停止させることを特徴とする請求項５に記載の注文管理システム。
【請求項７】
前記注文管理装置の前記第１のデータに、１つの注文で予め定められた複数のメニューをコース注文可能なセットメニューが予め登録され、
前記注文入力装置は、前記入力手段に提供済み入力機能をさらに備え、
前記注文管理装置は、
セットメニュー番号と当該セットメニュー番号に複数のセット対象メニュー番号が関連付けられて登録されているセットメニューデータと、
前記セットメニューデータのセットメニュー番号に含まれる前記複数のメニューを、未提供のメニューと提供済みのメニューとに区別して登録可能な提供管理データと、を備え、
前記注文制限レベルが登録されている前記注文入力装置の前記入力手段がコース注文入力可能な場合に、当該注文入力装置からセットメニューの注文を受けた後、当該セットメニューに含まれるメニューが提供され、前記注文入力装置により提供済みが入力されると、提供済み信号に基づき前記提供管理データを参照して当該メニューを未提供から提供済みに移動させ、更新された前記提供管理データにおける未提供のメニューを送信元の注文入力装置に転送して表示させることを特徴とする請求項３または４に記載の注文管理システム。
【発明の詳細な説明】
【０００１】
【発明の属する技術分野】
本発明は、レストラン、居酒屋などの飲食店で注文品の注文に用いる注文管理システム、なかでも特に、客が注文入力装置を操作して注文入力するセルフ注文管理システムに関する。
【０００２】
【従来の技術】
従来の注文管理システムでは、またあらかじめ料理品目と料金が設定されたコース料理で宴会などを行う場合、コース料理を一つの注文品として扱い、コース料理においてそれぞれの料理はサブメニューとして、提供時間を管理して決められた順番と提供時間に従って調理指示が注文管理システムより出力され、調理完了後に提供される。また設定された金額を支払えばあらかじめ決められた飲み物を自由に何杯でも飲むことができるフリードリンクセットにおいて、客は飲み物を追加注文する場合、接客人を呼んで飲み物を追加注文する。
【０００３】
またコース料理に含まれない料理を注文する場合も接客人を呼んで注文品を指定し、接客人は注文入力装置から追加する注文品を入力して調理指示する。また客が注文入力装置を操作して注文入力する注文管理システムでは、注文管理システムで注文入力できる注文品があらかじめ限定されているので、家族客、宴会グループ、コース料理客に関係なく、客が注文入力装置で注文入力できる注文品は同じである。（例えば、非特許文献１参照。）。
【０００４】
【非特許文献１】
会田邦広・浅川明著「オーダーシステムが外食産業を変える」、泉文堂、１９９９年２月２０日、Ｐ１５−２８
【０００５】
【発明が解決しようとする課題】
客が注文入力装置を操作して注文入力するセルフ注文入力システムでは、全ての注文入力を客ができるようにすると、注文入力装置の入力操作を誤り間違った調理指示が出され、出来上がった料理を廃棄しなければならないことが発生する。
【０００６】
また宴会などでコース料理を注文した場合、客はコース料理に含まれる注文品を追加注文しても、接客人を通さず直接調理指示が出力されるため、追加注文された料理と同じ料理があとから運ばれてきて不快な思いをする場合がある。フリードリンクセットにおいて飲み物を注文する場合、接客人を呼び出し飲み物を注文する煩わしさがある。さらにコース料理やフリードリンクセットでは、宴会時間が決められていて、時間が終わりに近づくと接客人がラストオーダーを告げて注文を取る必要がある。
【０００７】
このようにセルフ注文システムにおいては、誤った注文入力による会計時の課題や、注文できる注文品が限定されるなどサービス低下の割に接客係の負担が低減されない課題がある。
【０００８】
【課題を解決するための手段】
上記課題を解決するため、本発明は客層や客が注文する料理によって、注文入力装置から入力する注文品の入力制限を設定する手段を設け、客の指定によって客が注文できる注文品の制限を変更する手段も設け、接客人が介在せずに客が注文入力することを実現する。コース料理によって注文入力制限する手段を設け、コース料理に含まれる注文品を客が注文するとアラームを通知する手段を備える。
【０００９】
フリードリンクセットで宴会時間が決められている場合、宴会開始時刻を入力すると宴会終了時刻から一定時間前に宴会終了時刻が近づいてきたこととラストオーダー時刻であるアラームを通知する。
【００１０】
またフリードリンクセットを注文した注文入力装置からフリードリンクセットに含まれない飲み物の注文入力が発生するとアラーム通知し注文入力を中止する手段や、フリードリンクセットに含まれない飲み物の注文入力を無効にする手段を設ける。さらに接客人呼び出しスイッチを注文入力装置に備え、客が注文入力装置から接客人を呼び出す手段を設ける。
【００１１】
これらの手段を注文管理システムに設けることで客に直接注文入力させても注文入力操作の誤りによる会計時のトラブルを防止し、時間管理を注文管理システムに組み込むことで接客人の負担を低減し、接客呼び出し手段を注文管理システムに組み込むことで客へのサービス低下も防止する。
【００１２】
【発明の実施の形態】
以下、図面にもとづいて本発明の実施例を説明する。図１は本発明に係る注文管理システムのシステム構成を示す一例で、注文入力装置１、２、３はそれぞれが対応する個別の識別番号Ｔ１、Ｔ２、Ｔ３を持ち、無線通信で無線ステーション６を経由して注文管理装置４と注文データの送受信を行う。注文管理装置４は注文を受け付けると調理指示器として使用するプリンタ５に調理指示データを出力し、プリンタ５より調理伝票が出力される。プリンタ５には調理提供を入力するバーコードリーダ７が接続されている。
【００１３】
図２は注文入力装置の内部ブロック図でタッチパネル１１、操作キー１２、液晶表示機１３、無線ユニット１４、制御回路１５から成る。また図１において調理指示装置はプリンタ５以外に、液晶やＣＲＴを用いた表示装置や注文入力装置１の液晶表示機１３を使用することも可能である。さらに図２の注文入力装置においてもタッチパネル１１または操作キー１２のいづれかを取り外した注文入力装置１でも注文入力可能とし、無線ユニット１４の代わりに有線通信で注文管理装置４と注文データの送受信を可能とする。
【００１４】
注文管理装置４には、注文品名のマスターデータとして図３に示すメニュー番号一覧３０が格納され、メニュー番号３１に対応したメニュー名称３２が割り当てられている。また図３のメニュー番号３０１  ３１ａ、メニュー番号３０２  ３１ｂ、メニュー番号３０３  ３１ｃの宴会セットメニュ−とメニュー番号４０１  ３１ｄのフリードリンクには、図４に示すセットメニュー構成一覧４０が関連付けられセットメニュー番号４１に対応して、それぞれセットメニューを構成するメニュー番号４２が設定されている。
【００１５】
また、注文管理装置４には注文入力装置１、２、３に注文制限を設定するため、図５に示すよう注文制限レベルと注文可能なメニュー５０が設定される。図５はその一例で注文制限レベル５１にＬ１、Ｌ２、Ｌ３の３レベルが登録され、各注文レベル５１ごとに注文可能なメニュー番号５２が登録されている。注文入力装置１、２、３は各装置ごとに、起動時または注文入力開始時に、注文入力装置の識別別番号と注文制限レベルを設定可能で、それぞれの注文入力装置１、２、３の識別番号Ｔ１、Ｔ２、Ｔ３ごとに設定されたメニュー制限レベルが注文管理装置４に登録される。
【００１６】
図６は注文管理装置４に登録されたに注文入力装置識別番号の注文制限レベル６０の一例で、注文入力装置の識別番号６１がＴ２  ６１ａの注文制限レベル６２はＬ１  ６２ａに設定されている。図７のフローチャートにおいて、識別番号Ｔ２の注文入力装置２から注文データが入力され（ｓ７１）、注文管理装置４に識別番号Ｔ２とメニュー番号１０６のお茶漬けの注文データが転送されると（ｓ７２）、注文入力装置識別番号の注文制限レベル６０を参照して識別番号Ｔ２の注文入力装置の注文制限レベルＬ１を得る（ｓ７３）。
【００１７】
さらに、注文制限レベル５１のＬ１  ５１ａと注文可能なメニュー  ５２ａにメニュー番号１０６のお茶漬けが注文可能か判定し（ｓ７４）、注文できないと判断して「お茶漬け受付できません」とアラーム表示を出す（ｓ７５）。仮に注文入力されたメニューがメニュー番号２０１の生ビールなら図５の注文可能なメニュー番号  ５２ａに登録されているので、調理指示を出力する（ｓ７６）。本実施形態は、注文管理装置４で注文制限レベルの判定処理をしているが、注文入力装置１、２、３に注文制限レベルと注文可能なメニュー５０を転送しておくことで、注文入力装置１、２、３において注文制限レベルを判定して注文できませんとアラームを表示するかを処理することも可能である。
【００１８】
注文管理装置４には、図３のメニュー番号一覧６０のうち宴会セットメニュー（本例ではメニュー番号３０１  ３１ａ、３０２  ３１ｂ、３０３  ３１ｃ）において、図８に示す宴会セットの時間設定８０を登録する機能を有する。その処理の流れを図９に示し、識別番号Ｔ１注文入力装置１から注文入力されると（ｓ９１）、注文入力装置の識別番号Ｔ１と注文データのメニュー番号３０１を含む注文開始データが注文管理装置４に入力され（ｓ９２）、メニュー番号が３０１で宴会セットＡが含まれるので、図８の宴会セットの時間設定８０を参照して識別番号Ｔ１の注文入力装置の時間管理テーブル９５を作成し、宴会開始時間（１８：１０）９５ａ、宴会セットＡ  ８１ａの宴会時間が１２０分８２ａに設定されているので、宴会終了時間が１２０分後の２０：１０  ９５ｂ、ラストオーダーが宴会終了時刻の３０分前  ８３ａに設定されているので、ラストオーダーを１９：４０  ９５ｃとセットする。
【００１９】
図９の例で１９：４０分になるとラストオーダー時間と判定して、注文入力装置１の液晶表示画面１１にラストオーダーの時刻を告げるアラームを表示する。また宴会終了時刻になると宴会終了のアラームを注文入力装置１の液晶表示画面１１に表示する。ラストオーダー後に注文入力を禁止するかどうかは、ラストオーダー後の注文禁止９５ｄで設定可能とし、店舗の状況で選択できるものとする。
【００２０】
注文管理装置４は、図１０に示すように注文入力装置の識別番号ごとの注文受付けメニューと提供済みメニューＡ０を管理する機能を有し、注文入力装置から注文入力があると図１０の注文を受付けて提供していないメニュー番号Ａ１にメニュー番号が追加され、料理提供後にプリンタ５に接続された場バーコードリーダ７または注文入力装置１、２、３から料理提供済み入力があると、すでに提供済みメニュー番号  Ａ２に提供されて料理のメニュー番号が移動する。
【００２１】
各注文入力装置は、その装置に設定された識別番号の提供されていないメニュー番号を参照し、注文入力装置の液晶表示機に、未提供のメニュー名称を表示することができる。例えば、識別番号Ｔ１の注文入力装置１を使用している客は追加注文する際、注文入力装置１の液晶表示機で、図１０の注文受付けて提供していないメニュー番号  Ａ１ａから未提供メニューが１０２天ぷら盛り合わせ、１０４湯どうふ、１０５唐揚げであることを参照することができる。
【００２２】
注文入力装置は、提供されていないメニュー番号のデータを活用して、注文重複時のアラーム表示機能を有し、図１１はそのフローを示す図で、識別番号Ｔ１の注文入力装置の注文データにおいて、注文を受け付けて提供されていないメニュー番号が１０２，１０４、１０５の３メニューある状態で（ｓ１１１）、メニュー番号１０２の天ぷら盛り合わせを提供するとプリンタ５のバーコードリーダ７からメニュー番号１０２提供済みのデータ入力が発生し（ｓ１１２）、メニュー番号１０２天ぷら盛り合わせはすでに提供済みメニュー番号に移動する（ｓ１１３、ｓ１１４）。
【００２３】
さらに識別番号Ｔ１の注文入力装置よりメニュー番号２０１の生ビールとメニュー番号１０４湯どうふの注文データ入力が発生すると（ｓ１１５）、メニュー番号２０１の生ビールは未提供メニューに登録されていないので追加注文として受け付け（ｓ１１６）、メニュー番号１０４湯どうふは未提供メニューにそのメニュー番号が登録されているので、注文の重複としてアラームを注文入力装置の表示装置に表示する（ｓ１１７、ｓ１１８）。
【００２４】
この機能をセットメニューの提供管理で応用して、識別番号Ｔ３の注文入力装置３からメニュー番号３０２の宴会セットＢを注文すると、図１０の注文入力装置の識別番号ごとの注文受付けメニューと提供済みメニューＡ０においては、図４のメニュー番号３０２の宴会セットを参照してセットメニューを構成するメニュー番号に展開して管理され、宴会セットＢの構成に含まれるメニュー番号１０６のお茶漬けがまだ提供されていない時に、お茶漬けを追加注文した場合も、注文の重複としてアラームを注文入力装置の表示装置に表示することができる。
【００２５】
また、本注文管理システムは図４のセットメニューのうち、フリードリンク４２ａのようにセットに含まれるメニュー番号が全飲み物を含まない場合、フリードリンクに含まれる飲み物として誤ってフリードリンクに含まれない飲み物（例えばメニュー番号２０５のブランデー３２ｆ）を注文する課題の対策として、図１２のように識別番号１２の注文入力装置からメニュー番号２０５のブランデーが注文入力されると（ｓ１２１）、図１０の提供済みメニュー番号にメニュー番号４０１のフリードリンクが含まれているか判定し（ｓ１２２）、フリードリンクが含まれているので、図４のセットメニューの構成をチェックし（ｓ１２３）、メニュー番号２０５のブランデーが含まれていない場合は、「フリードリンク以外の飲み物」とアラーム表示し（ｓ１１４）、注文を継続するか注文を中止するか選択できる仕組みを設ける（ｓ１１５）。これにより、フリードリンクに含まれない飲み物を誤って注文して会計時のトラブルになることを防ぐことができる。
【００２６】
【発明の効果】
このように注文入力装置に入力できるメニューを制限する機能を用意し、居酒屋など追加注文の多い店舗でメニューに限定して客に直接注文入力させれば、接客係の負担を低減でき、店舗における接客係の合理化を実現できる。
【００２７】
また、セルフ注文システムで接客係と客との情報交換が少なくなっても、注文管理システムから、宴会終了までの残り時間やラストオーダー時間を客に知らせることで、サービス向上と効率的な注文管理を実現できる。またオーダーの重複アラームやフリードリンクの対象外注文時のアラーム表示により、セルフ注文システムで発生が予想されるトラブルについても、注文管理システムでアラームを表示することで防止できる。
【図面の簡単な説明】
【図１】本発明に関わる注文管理システムのシステム構成図
【図２】注文入力装置の内部ブロック図
【図３】メニュー番号一覧例
【図４】セットメニュー構成一覧例
【図５】注文制限レベルと注文可能なメニュー例
【図６】注文入力装置識別番号とメニュー制限レベルの例
【図７】注文制限の処理フローを示すフロー図
【図８】宴会セットの時間設定を示す図である
【図９】時間設定の処理フローを示すフロー図
【図１０】注文入力装置識別番号ごとに注文受付けメニューと提供済みメニューを管理する例を示す説明図
【図１１】注文管理システムの処理フローを示すフロー図
【図１２】注文管理システムの処理フローを示すフロー図
【符号の説明】
１    識別番号Ｔ１の注文選択装置
２    識別番号Ｔ２の注文選択装置
３    識別番号Ｔ３の注文選択装置
４    注文管理装置
５    調理指示用プリンタ
【図１】
0004167044.tif 000002
【図２】
0004167044.tif 000003
【図３】
0004167044.tif 000004
【図４】
0004167044.tif 000005
【図５】
0004167044.tif 000006
【図６】
0004167044.tif 000007
【図７】
0004167044.tif 000008
【図８】
0004167044.tif 000009
【図９】
0004167044.tif 000010
【図１０】
0004167044.tif 000011
【図１１】
0004167044.tif 000012
【図１２】
0004167044.tif 000013